(57)【要約】【課題】電気チルト角によらず低サイドローブの放射特性を実現可能なアンテナ装置を提供する。【解決手段】水平方向に配列された複数のアンテナ素子２を有し、複数のビームを異なる方向に放射可能に構成されたアンテナ素子組２０を複数段鉛直方向に配置して構成され、鉛直方向上側から１段以上のアンテナ素子組２０は、当該アンテナ素子組２０を構成するアンテナ素子２のうち、偶数列のアンテナ素子２が、奇数列のアンテナ素子２よりも鉛直方向上側または下側の一方にずれた位置に配置された第１アンテナ素子組２１からなり、第１アンテナ素子組２１よりも鉛直方向下側に配置されるアンテナ素子組２０は、当該アンテナ素子組２０を構成するアンテナ素子２のうち、偶数列のアンテナ素子２が、奇数列のアンテナ素子２よりも鉛直方向上側または下側の他方にずれた位置に配置された第２アンテナ素子組２２からなる。
2017090200.tif 000002
【特許請求の範囲】
【請求項１】
水平方向に配列された複数のアンテナ素子を有し、隣り合う前記アンテナ素子にそれぞれ所定の位相差を与えて給電することで、複数のビームを異なる方向に放射可能に構成されたアンテナ素子組を複数備え、
前記複数のアンテナ素子組を鉛直方向に複数段配置して構成されるアンテナ装置であって、
鉛直方向上側から少なくとも１段以上の前記アンテナ素子組は、当該アンテナ素子組を構成する前記アンテナ素子のうち、偶数列の前記アンテナ素子が、奇数列の前記アンテナ素子よりも鉛直方向上側または下側の一方にずれた位置に配置された第１アンテナ素子組からなり、
前記第１アンテナ素子組よりも鉛直方向下側に配置される前記アンテナ素子組は、当該アンテナ素子組を構成する前記アンテナ素子のうち、偶数列の前記アンテナ素子が、奇数列の前記アンテナ素子よりも鉛直方向上側または下側の他方にずれた位置に配置された第２アンテナ素子組からなる、
アンテナ装置。
【請求項２】
前記各第１アンテナ素子組を構成する前記アンテナ素子は、千鳥状に配置されており、
前記各第２アンテナ素子組を構成する前記アンテナ素子は、千鳥状に配置されている、
請求項１に記載のアンテナ装置。
【請求項３】
前記アンテナ素子組を偶数段有し、
前記第１アンテナ素子組の数と、前記第２アンテナ素子組の数が等しい、
請求項１または２に記載のアンテナ装置。
【請求項４】
前記第１アンテナ素子組を構成する前記アンテナ素子と、前記第２アンテナ素子組を構成する前記アンテナ素子とが、上下対称に配置されている、
請求項３に記載のアンテナ装置。
【請求項５】
前記アンテナ素子組を奇数段有し、
前記アンテナ素子組の段数をｎとしたとき、前記第１アンテナ素子組の数が（ｎ＋１）／２または（ｎ−１）／２である、
請求項１または２に記載のアンテナ装置。
【発明の詳細な説明】
【技術分野】
【０００１】
本発明は、アンテナ装置に関する。
【背景技術】
【０００２】
従来、水平方向に配列された共通の複数のアンテナ素子を用いて、２つのビームを異なる方向に放射するアンテナ装置が知られている。このようなアンテナ装置は、一般にデュアルビームアンテナ（ツインビームアンテナともいう）と呼称されている。【０００３】
デュアルビームアンテナでは、水平方向に配列された複数のアンテナ素子を有するアンテナ素子組を複数段鉛直方向に配列して構成されており、各アンテナ素子組において隣り合うアンテナ素子にそれぞれ所定の位相差、電力差を与えて給電することで、複数のビームを異なる方向に放射可能に構成されている。【０００４】
また、デュアルビームアンテナとして、電気チルト角を調整可能に構成されたものがある。電気チルト角を調整可能なデュアルビームアンテナでは、鉛直方向に配列された各アンテナ素子組に所定の位相差、電力差を与えて給電することで、鉛直方向におけるビームの放射方向、すなわち電気チルト角を調整することが可能である。【０００５】
ところで、アンテナ素子を水平方向に一直線状に配置した場合、アンテナ装置の幅を小さくするとアンテナ素子の間隔が小さくなり、アンテナ素子間の結合が大きくなり、所望の放射特性を得られなくなるという問題が生じる。【０００６】
この問題を解決する方法として、偶数列のアンテナ素子を奇数列のアンテナ素子よりも鉛直方向上側または下側にずれた位置に配置し、アンテナ素子を千鳥状に配置する方法が知られている（例えば、特許文献１参照）。アンテナ素子を千鳥状に配置することで、アンテナ装置の幅を小さくしつつも、各アンテナ素子のアイソレーションを高め、アンテナ素子間の結合による特性劣化を抑制することが可能である。
【先行技術文献】
【特許文献】
【０００７】
【特許文献１】特開２０００−３４９５４８号公報
【発明の概要】
【発明が解決しようとする課題】
【０００８】
しかしながら、偶数列のアンテナ素子を奇数列のアンテナ素子よりも鉛直方向にずらして配置した場合、各アンテナ素子組が放射するビームの水平面指向性が、鉛直方向に配列された各アンテナ素子組に給電する電力（振幅）や位相の影響（すなわち鉛直面での指向性の設計の影響）を受け易くなってしまうという問題がある。【０００９】
その結果、例えば初期の電気チルト角で低サイドローブの水平面指向性を得られたとしても、電気チルト角を変更した際に、特定の電気チルト角においてサイドローブが高くなり、所望の放射特性が得られなくなる場合があった。【００１０】
そこで、本発明は、電気チルト角によらず低サイドローブの放射特性を実現可能なアンテナ装置を提供することを目的とする。
【課題を解決するための手段】
【００１１】
本発明は、上記課題を解決することを目的として、水平方向に配列された複数のアンテナ素子を有し、隣り合う前記アンテナ素子にそれぞれ所定の位相差を与えて給電することで、複数のビームを異なる方向に放射可能に構成されたアンテナ素子組を複数備え、前記複数のアンテナ素子組を鉛直方向に複数段配置して構成されるアンテナ装置であって、鉛直方向上側から少なくとも１段以上の前記アンテナ素子組は、当該アンテナ素子組を構成する前記アンテナ素子のうち、偶数列の前記アンテナ素子が、奇数列の前記アンテナ素子よりも鉛直方向上側または下側の一方にずれた位置に配置された第１アンテナ素子組からなり、前記第１アンテナ素子組よりも鉛直方向下側に配置される前記アンテナ素子組は、当該アンテナ素子組を構成する前記アンテナ素子のうち、偶数列の前記アンテナ素子が、奇数列の前記アンテナ素子よりも鉛直方向上側または下側の他方にずれた位置に配置された第２アンテナ素子組からなる、アンテナ装置を提供する。
【発明の効果】
【００１２】
本発明によれば、電気チルト角によらず低サイドローブの放射特性を実現可能なアンテナ装置を提供できる。
【図面の簡単な説明】
【００１３】
【図１】本発明の一実施の形態に係るアンテナ装置のアンテナ素子の配置を示す概略構成図である。
【図２Ａ】アンテナ素子の概略構成を示す断面図である。
【図２Ｂ】アンテナ素子におけるスロット素子と給電線路の関係を示す説明図である。
【図３Ａ】各アンテナ素子に給電される電力、位相を説明する説明図である。
【図３Ｂ】給電信号を入力した際のビームの放射方向を説明する説明図である。
【図４】図１にアンテナ装置において、電気チルト角を変更したときの一方のビームの水平面内での放射特性を示すグラフ図である。
【図５】従来のアンテナ装置のアンテナ素子の配置を示す概略構成図である。
【図６】図５の従来のアンテナ装置において、電気チルト角を変更したときの一方のビームの水平面内での放射特性を示すグラフ図である。
【図７】本発明の一変形例に係るアンテナ装置のアンテナ素子の配置を示す概略構成図である。
【図８】本発明の一変形例に係るアンテナ装置のアンテナ素子の配置を示す概略構成図である。
【発明を実施するための形態】
【００１４】
［実施の形態］
以下、本発明の実施の形態を添付図面にしたがって説明する。
【００１５】
図１は、本実施の形態に係るアンテナ装置のアンテナ素子の配置を示す概略構成図である。また、図２Ａはアンテナ素子の概略構成を示す断面図、図２Ｂはスロットと給電線路との関係を示す説明図である。
【００１６】
図１に示すように、アンテナ装置１は、水平方向（図示左右方向）に配列された複数のアンテナ素子２を有し、隣り合うアンテナ素子２にそれぞれ所定の位相差を与えて給電することで、複数のビームを異なる方向に放射可能に構成されたアンテナ素子組２０を複数備え、複数のアンテナ素子組２０を鉛直方向（図示上下方向）に複数段配置して構成されている。本実施の形態に係るアンテナ装置１は、２つのビームを異なる方向に放射可能に構成されたデュアルビームアンテナである。
【００１７】
ここでは、一例として、各アンテナ素子組２０が５つのアンテナ素子２を有し、８段のアンテナ素子組２０を鉛直方向に配列した場合を示しているが、アンテナ素子組２０を構成するアンテナ素子２の数や、アンテナ素子組２０の段数は、これに限定されるものではない。
【００１８】
図２Ａおよび図２Ｂに示すように、本実施の形態では、各アンテナ素子２は、スロット結合型のパッチアンテナから構成されている。アンテナ素子２は、誘電体基板３の裏面に形成された導体層からなり当該導体層を貫通するスロット４が形成されたスロット形成層５と、誘電体基板３の表面に形成された給電用の給電線路６と、誘電体基板３の表面に対して離間して対向配置された矩形の板状の放射素子７と、を有している。
【００１９】
本実施の形態では、スロット４の形状をＸ字状に形成し、鉛直方向に対して４５度傾斜した＋４５度スロット素子８と、鉛直方向に対して−４５度傾斜した−４５度スロット素子９と、を形成した。
【００２０】
給電線路６は、＋４５度スロット素子８に給電を行う第１給電線路６ａと、−４５度スロット素子９に給電を行う第２給電線路６ｂと、を備えている。
【００２１】
第１給電線路６ａは、＋４５度スロット素子８の長軸方向における中心位置において、平面視で＋４５度スロット素子８を短軸方向に横切るように形成されている。第１給電線路６ａに給電を行うと、＋４５度スロット素子８が励振され、放射素子７と結合して電波が放射される。このとき放射される電波は、鉛直方向に対して４５度傾斜した偏波となる。
【００２２】
同様に、第２給電線路６ｂは、−４５度スロット素子９の長軸方向における中心位置において、平面視で−４５度スロット素子９を短軸方向に横切るように形成されている。第２給電線路６ｂに給電を行うと、−４５度スロット素子９が励振され、放射素子７と結合して電波が放射される。このとき放射される電波は、鉛直方向に対して−４５度傾斜した偏波となる。
【００２３】
図３Ａに示すように、各アンテナ素子組２を構成する５つの＋４５度スロット素子８には、各＋４５度スロット素子８に給電する電力および位相を調整する給電回路１０が接続されている。なお、図示していないが、各アンテナ素子組２を構成する５つの−４５度スロット素子９にも、同様の給電回路が接続されている。
【００２４】
給電回路１０は、２つの給電信号Ａ，Ｂがそれぞれ入力される２つの給電端子１０ａ，１０ｂを有し、給電端子１０ａ，１０ｂから入力された給電信号Ａ，Ｂを分配して各＋４５度スロット素子８に給電するように構成されている。ここでは、図示左側から右側にかけて順次＋４５度スロット素子８ａ〜８ｅが配置されているとする。各＋４５度スロット素子８ａ〜８ｅは、水平方向に離間して配置されている。
【００２５】
給電回路１０は、水平方向の端（１，５列目）に配置された＋４５度スロット素子８ａ，８ｅに給電される電力Ｐ１が等しく、かつ、水平方向の端から２番目（２，４列目）に配置された＋４５度スロット素子８ｂ，８ｄに給電される電力Ｐ２が等しくなるように給電を行うように構成される。また、給電回路１０は、中央（３列目）に配置される＋４５度スロット素子８ｃに給電される電力をＰ３としたとき、Ｐ３＞Ｐ２＞Ｐ１となるように給電を行うように構成される。
【００２６】
つまり、給電回路１０は、中央に配置されるアンテナ素子２ほど給電電力を大きく、端に配置されるアンテナ素子２ほど給電電力を小さくするように構成されている。これにより、不要な放射を抑え、サイドローブを抑制することができる。
【００２７】
また、給電回路１０は、給電端子１０ａから給電信号Ａを入力したとき、図示左側から右側にかけて、順次９０度ずつ位相が増えるように、各＋４５度スロット素子８ｂ，８ｄに給電される給電信号の位相を調整するように構成される。これにより、図３Ｂに示すように、給電信号Ａを入力したときには、図示左側の方向にビームが放射されることになる。
【００２８】
さらに、給電回路１０は、給電端子１０ｂから給電信号Ｂを入力したとき、図示左側から右側にかけて、順次９０度ずつ位相が減るように、各＋４５度スロット素子８に給電される給電信号の位相を調整するように構成される。これにより、図３Ｂに示すように、給電信号Ｂを入力したときには、図示右側の方向にビームが放射されることになる。
【００２９】
なお、本実施の形態において、給電回路１０の具体的な構成は、特に限定されるものではない。また、隣り合うアンテナ素子２（スロット素子８，９）の位相差は、９０度に限らず適宜設定可能である。
【００３０】
ビームの放射方向は、アンテナ素子２の水平方向の間隔により調整することができる。例えば、通信エリアを６０度毎に分割し６つのセクタを形成する６セクタ基地局に適用する場合、両給電端子１０ａ，１０ｂから給電された際に出力される２つのビームの放射方向が水平面内でなす角度が６０度程度となるように、アンテナ素子２の間隔を調整するとよい。
【００３１】
図示していないが、各給電回路１０の上流側には、鉛直方向に配置された各アンテナ素子組２０に給電信号を分配し、各アンテナ素子組２０に供給する給電信号の電力、位相を調整する上流側給電回路が設けられている。この上流側給電回路にて各アンテナ素子組２０に供給する給電信号の電力、位相を調整することで、鉛直方向におけるビームの放射方向、すなわち電気チルト角を調整することができる。
【００３２】
図１に戻り、本実施の形態に係るアンテナ装置１では、鉛直方向上側から少なくとも１段以上のアンテナ素子組２０は、当該アンテナ素子組２０を構成するアンテナ素子２のうち、偶数列のアンテナ素子２が、奇数列のアンテナ素子２よりも鉛直方向上側にずれた位置に配置された第１アンテナ素子組２１からなり、第１アンテナ素子組２１よりも鉛直方向下側に配置されるアンテナ素子組２０は、当該アンテナ素子組２０を構成するアンテナ素子２のうち、偶数列のアンテナ素子２が、奇数列のアンテナ素子２よりも鉛直方向下側にずれた位置に配置された第２アンテナ素子組２２からなる。
【００３３】
各第１アンテナ素子組２１を構成するアンテナ素子２は、全体としてアンテナ素子２の分布が一様となるように千鳥状に配置されている。同様に、各第２アンテナ素子組２２を構成するアンテナ素子２は、全体としてアンテナ素子２の分布が一様となるように千鳥状に配置されている。
【００３４】
第１アンテナ素子組２１と第２アンテナ素子組２２とにおいて、偶数列のアンテナ素子２と奇数列のアンテナ素子２との鉛直方向の距離（鉛直方向にずらす距離）は、同じとされる。第１アンテナ素子組２１と第２アンテナ素子組２２は、偶数列のアンテナ素子２をずらす方向が異なるのみで、アンテナ素子２の配置間隔等は同じとされる。
【００３５】
本実施の形態では、偶数列のアンテナ素子２と奇数列のアンテナ素子２とが水平方向に重ならないように、鉛直方向に離間して配置されているが、隣り合うアンテナ素子２間のアイソレーションが十分に確保できる場合には、偶数列のアンテナ素子２と奇数列のアンテナ素子２とが水平方向に重なるようにアンテナ素子２を配置してもよい。この場合、アンテナ素子２の分布が一様となるように、鉛直方向に隣り合う一方のアンテナ素子組２０における偶数列のアンテナ素子２と、他方のアンテナ素子組２０のアンテナ素子２とが、水平方向に重なるように配置されることになる。
【００３６】
第１アンテナ素子組２１の数と、第２アンテナ素子組２２の数は、等しいことが望ましい。本実施の形態では、８段と偶数段のアンテナ素子組２０を有しているため、鉛直方向上側から４段のアンテナ素子組２０が第１アンテナ素子組２１とされ、その下側の４段のアンテナ素子組２０が第２アンテナ素子組２２とされている。
【００３７】
また、本実施の形態では、第１アンテナ素子組２１を構成するアンテナ素子２と、第２アンテナ素子組２２を構成するアンテナ素子２とが、上下対称に配置されている。図１では、対称軸を符号Ｓで表している。本実施の形態では、第１アンテナ素子組２１の数と第２アンテナ素子組２２の数が等しいため、対称軸Ｓはアンテナ装置１の鉛直方向における中央部に位置することになる。
【００３８】
アンテナ装置１において、電気チルト角を変更したときの一方のビームの水平面内での放射特性を図４に示す。なお、ここでは、初期の電気チルト角（初期チルト角）を５度とし、電気チルト角を初期チルト角から±５度変化させた。また、給電信号の周波数は１９４０ＭＨｚとし、各列のアンテナ素子２の鉛直方向の間隔を７４ｍｍ、奇数列同士あるいは偶数列同士のアンテナ素子２の水平方向の間隔を７０ｍｍとした。
【００３９】
図４に示すように、アンテナ装置１では、いずれの電気チルト角においても、サイドローブレベルが略−２５ｄＢ以下となっており、低サイドローブの水平面指向性が得られていることが分かる。
【００４０】
比較のため、図５に示すように、アンテナ素子２を千鳥状に配置した従来のアンテナ装置５１について、図４と同条件における放射特性を図６に示す。なお、図５のアンテナ装置５１は、図１のアンテナ装置１において、全てのアンテナ素子組２０を第１アンテナ素子組２１としたものである。
【００４１】
図６に示すように、従来のアンテナ装置５１では、初期チルトにてサイドローブレベルが−２５ｄＢ以下となるように設計した場合であっても、電気チルト角を初期チルトから変更した場合には、サイドローブレベルが高くなっていることが分かる。
【００４２】
これは、従来のアンテナ装置５１では、アンテナ装置５１の全体において、奇数列のアンテナ素子２が偶数列のアンテナ素子２に対して鉛直方向に（ここでは上側に）ずれた位置となっており、奇数列のアンテナ素子２と偶数列のアンテナ素子２の分布が鉛直方向にずれ、鉛直方向における対称性が大きく崩れてしまっているためと考えられる。
【００４３】
本実施の形態に係るアンテナ装置１では、鉛直方向上側に配置される第１アンテナ素子組２１と、鉛直方向下側に配置される第２アンテナ素子組２２とで、偶数列のアンテナ素子２に対して奇数列のアンテナ素子２をずらす方向を逆方向としているため、鉛直方向における奇数列のアンテナ素子２と偶数列のアンテナ素子２の分布のずれを改善でき、鉛直方向に配列された各アンテナ素子組２０に給電する電力や位相の影響（すなわち鉛直面での指向性の設計の影響）を受けにくくすることができる。その結果、電気チルト角によらず低サイドローブの放射特性を実現できていると考えられる。
【００４４】
従来のアンテナ装置５１では、電気チルト角を初期チルト−５度とした際の奇数列と偶数列のアンテナ素子２の位相総和の差は１０度程度と大きくなった。これに対して、本実施の形態に係るアンテナ装置１では、奇数列と偶数列のアンテナ素子２の位相総和の差は、最大で１．２度程度と小さくできることが確認できた。つまり、アンテナ装置１によれば、従来のアンテナ装置５１と比較して、電気チルト角によらず各アンテナ素子組２０におけるアンテナ素子２の位相差を所望の位相差により近づけ、低サイドローブの放射特性を実現することが可能である。
【００４５】
なお、例えば、第１アンテナ素子組２１と第２アンテナ素子組２２を鉛直方向に交互に配置することによっても、同様な効果を得ることが可能であるが、この場合、偶数列および奇数列のアンテナ素子２が鉛直方向に隣接して配置されることになり、アンテナ素子２間の結合が大きくなり所望の特性が得られなくなるおそれがある。よって、第１アンテナ素子組２１と第２アンテナ素子組２２とが隣り合う部分はなるべく少なくすることが望ましく、本実施の形態のように、鉛直方向上側に第１アンテナ素子組２１を配置し、その下側に第２アンテナ素子組２２を配置する構成が望ましいといえる。
【００４６】
（変形例）
本実施の形態では、第１アンテナ素子組２１において偶数列のアンテナ素子２を奇数列のアンテナ素子２よりも鉛直方向上側にずらし、第２アンテナ素子組２２において偶数列のアンテナ素子２を奇数列のアンテナ素子２よりも鉛直方向下側にずらすように構成したが、両アンテナ素子組２１，２２で偶数列のアンテナ素子２と奇数列のアンテナ素子２とをずらす方向を逆にしてもよい。
【００４７】
具体的には、図７に示すように、第１アンテナ素子組２１において偶数列のアンテナ素子２を奇数列のアンテナ素子２よりも鉛直方向下側にずらし、第２アンテナ素子組２２において偶数列のアンテナ素子２を奇数列のアンテナ素子２よりも鉛直方向上側にずらすように構成してもよい。
【００４８】
また、本実施の形態では、第１アンテナ素子組２１の数と第２アンテナ素子組２２の数を同じとしたが、両アンテナ素子組２１，２２の数は異なっていてもよい。両アンテナ素子組２１，２２が少なくとも１段ずつ存在していれば、従来のアンテナ装置５１と比較してサイドローブを抑制する効果を得ることが可能である。
【００４９】
例えば、図８に示すように、アンテナ素子組２０の段数が奇数（ここでは７段）である場合には、両アンテナ素子組２１，２２の数は必然的に異なることになる。ただし、サイドローブの抑制効果は、両アンテナ素子組２１，２２の数が等しいときに最も大きくなるため、両アンテナ素子組２１，２２の数の差はできるだけ小さくすることが望ましいといえる。
【００５０】
そのため、アンテナ素子組２０の段数が奇数である場合、アンテナ素子組２０の段数をｎとしたとき、第１アンテナ素子組２１の数が（ｎ＋１）／２または（ｎ−１）／２であるとよい。図８では、第１アンテナ素子組２１が４段、第２アンテナ素子組２２が３段である場合を示しているが、第１アンテナ素子組２１が３段、第２アンテナ素子組２２が４段であってもよい。
【００５１】
（実施の形態の作用及び効果）
以上説明したように、本実施の形態に係るアンテナ装置１では、鉛直方向上側から少なくとも１段以上のアンテナ素子組２０は、当該アンテナ素子組２０を構成するアンテナ素子２のうち、偶数列のアンテナ素子２が、奇数列のアンテナ素子２よりも鉛直方向上側または下側の一方にずれた位置に配置された第１アンテナ素子組２１からなり、第１アンテナ素子組２１よりも鉛直方向下側に配置されるアンテナ素子組２０は、当該アンテナ素子組２０を構成するアンテナ素子２のうち、偶数列のアンテナ素子２が、奇数列のアンテナ素子２よりも鉛直方向上側または下側の他方にずれた位置に配置された第２アンテナ素子組２２からなる。
【００５２】
このように構成することで、アンテナ素子２の配置を略千鳥状としてアンテナ装置１の幅の小型化および各アンテナ素子２のアイソレーションを高めつつも、鉛直方向における奇数列のアンテナ素子２と偶数列のアンテナ素子２の分布のずれを改善し、電気チルト角によらず低サイドローブの放射特性を実現可能なアンテナ装置１を実現できる。換言すれば、いずれの電気チルト角においても低サイドローブの放射特性が得られる電気チルト式のデュアルビームアンテナを実現できる。
【００５３】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００５４】
［１］水平方向に配列された複数のアンテナ素子（２）を有し、隣り合う前記アンテナ素子（２）にそれぞれ所定の位相差を与えて給電することで、複数のビームを異なる方向に放射可能に構成されたアンテナ素子組（２０）を複数備え、前記複数のアンテナ素子組（２０）を鉛直方向に複数段配置して構成されるアンテナ装置（１）であって、鉛直方向上側から少なくとも１段以上の前記アンテナ素子組（２０）は、当該アンテナ素子組（２０）を構成する前記アンテナ素子（２）のうち、偶数列の前記アンテナ素子（２）が、奇数列の前記アンテナ素子（２）よりも鉛直方向上側または下側の一方にずれた位置に配置された第１アンテナ素子組（２１）からなり、前記第１アンテナ素子組（２１）よりも鉛直方向下側に配置される前記アンテナ素子組（２０）は、当該アンテナ素子組（２０）を構成する前記アンテナ素子（２）のうち、偶数列の前記アンテナ素子（２）が、奇数列の前記アンテナ素子（２）よりも鉛直方向上側または下側の他方にずれた位置に配置された第２アンテナ素子組（２２）からなる、アンテナ装置（１）。
【００５５】
［２］前記各第１アンテナ素子組（２１）を構成する前記アンテナ素子（２）は、千鳥状に配置されており、前記各第２アンテナ素子組（２２）を構成する前記アンテナ素子（２）は、千鳥状に配置されている、［１］に記載のアンテナ装置（１）。
【００５６】
［３］前記アンテナ素子組（２０）を偶数段有し、前記第１アンテナ素子組（２１）の数と、前記第２アンテナ素子組（２２）の数が等しい、［１］または［２］に記載のアンテナ装置（１）。
【００５７】
［４］前記第１アンテナ素子組（２１）を構成する前記アンテナ素子（２）と、前記第２アンテナ素子組（２２）を構成する前記アンテナ素子（２）とが、上下対称に配置されている、［３］に記載のアンテナ装置（１）。
【００５８】
［５］前記アンテナ素子組（２０）を奇数段有し、前記アンテナ素子組（２０）の段数をｎとしたとき、前記第１アンテナ素子組（２１）の数が（ｎ＋１）／２または（ｎ−１）／２である、［１］または［２］に記載のアンテナ装置（１）。
【００５９】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６０】
本発明は、その趣旨を逸脱しない範囲で適宜変形して実施することが可能である。
【００６１】
例えば、上記実施の形態では、アンテナ素子２としてスロット結合型のパッチアンテナを用いる場合を説明したが、アンテナ素子２の具体的な形状等はこれに限定されず、例えば、アンテナ素子２はダイポールアンテナであってもよい。
【００６２】
また、上記実施の形態では、アンテナ装置１が、２つのビームを異なる方向に放射可能に構成されたデュアルビームアンテナである場合を説明したが、これに限らず、２つ以上のビームをそれぞれ異なる方向に放射可能に構成されたマルチビームアンテナであってもよい。
【符号の説明】
【００６３】
１…アンテナ装置
２…アンテナ素子
２０…アンテナ素子組
２１…第１アンテナ素子組
２２…第２アンテナ素子組
【図１】
2017090200.tif 000003
【図２Ａ】
2017090200.tif 000004
【図２Ｂ】
2017090200.tif 000005
【図３Ａ】
2017090200.tif 000006
【図３Ｂ】
2017090200.tif 000007
【図４】
2017090200.tif 000008
【図５】
2017090200.tif 000009
【図６】
2017090200.tif 000010
【図７】
2017090200.tif 000011
【図８】
2017090200.tif 000012
【国際調査報告】
2017090200.tif 000013
2017090200.tif 000014